(57)【特許請求の範囲】
【請求項１】
状況に応じて所定の範囲内で移動して配置される複数の表示装置に表示するコンテンツを制御する表示制御装置であり、
各表示装置の隣接関係を特定して、特定した隣接関係に基づき、隣接して配置された表示装置を１つのグループとして前記複数の表示装置についてのグループを特定するグループ特定部と、
前記グループ特定部が特定した各グループが、前記所定の範囲を区分した複数のエリアのうちのどのエリアに配置されたかを特定するエリア特定部と、
前記各グループについて、前記エリア特定部が特定したそのグループが配置されたエリアと、そのグループに属する表示装置の台数とに基づき、そのグループに属する表示装置に表示するコンテンツを決定するコンテンツ決定部と、
前記コンテンツ決定部が決定したコンテンツを各表示装置へ送信するコンテンツ送信部と
を備えることを特徴とする表示制御装置。
【請求項２】
前記コンテンツ決定部は、前記各グループに属する各表示装置について、グループ内における配置に応じて、その表示装置に表示するコンテンツを決定する
ことを特徴とする請求項１に記載の表示制御装置。
【請求項３】
前記コンテンツ決定部は、さらに、前記状況に基づき、各表示装置に表示するコンテンツを決定する
ことを特徴とする請求項１又は２に記載の表示制御装置。
【請求項４】
前記表示制御装置は、さらに、
前記状況が変わった場合に、変わった後の状況に応じて、どの表示装置をどこへ移動させるかを決定する移動決定部と、
前記移動決定部が決定した内容を示す移動情報を、所定の管理者表示装置へ送信する移動情報送信部と
ことを特徴とする請求項１から３までのいずれかに記載の表示制御装置。
【請求項５】
前記グループ特定部は、前記各表示装置から、その表示装置の上下と左右との少なくともいずれかに隣接する表示装置の識別情報と隣接する方向を示す情報とを取得して、前記各表示装置の隣接関係を特定する
ことを特徴とする請求項１から４までのいずれかに記載の表示制御装置。
【請求項６】
前記エリア特定部は、前記各グループについて、そのグループに属する少なくとも１台の表示装置から、そのグループが配置されたエリアを示すエリア情報を取得して、前記各グループがどのエリアに配置されたかを特定することを特徴とする請求項１から５までのいずれかに記載の表示制御装置。
【請求項７】
前記状況は、災害の発生の有無、及び、発生した災害の種類である
ことを特徴とする請求項１から６までのいずれかに記載の表示制御装置。
【請求項８】
前記状況は、交通機関の運行状況である
ことを特徴とする請求項１から６までのいずれかに記載の表示制御装置。
【請求項９】
表示制御装置と複数の表示装置とを備え、状況に応じて所定の範囲内で各表示装置が移動して配置される表示システムであり、
前記表示制御装置は、
各表示装置の隣接関係を特定して、特定した隣接関係に基づき、隣接して配置された表示装置を１つのグループとして前記複数の表示装置についてのグループを特定するグループ特定部と、
前記グループ特定部が特定した各グループが、前記所定の範囲を区分した複数のエリアのうちのどのエリアに配置されたかを特定するエリア特定部と、
前記各グループについて、前記エリア特定部が特定したそのグループが配置されたエリアと、そのグループに属する表示装置の台数とに基づき、そのグループに属する表示装置に表示するコンテンツを決定するコンテンツ決定部と、
前記コンテンツ決定部が決定したコンテンツを各表示装置へ送信するコンテンツ送信部と
を備えることを特徴とする表示システム。
【請求項１０】
状況に応じて所定の範囲内で移動して配置される複数の表示装置に表示するコンテンツを制御する表示制御プログラムであり、
各表示装置の隣接関係を特定して、特定した隣接関係に基づき、隣接して配置された表示装置を１つのグループとして前記複数の表示装置についてのグループを特定するグループ特定処理と、
前記グループ特定処理で特定した各グループが、前記所定の範囲を区分した複数のエリアのうちのどのエリアに配置されたかを特定するエリア特定処理と、
前記各グループについて、前記エリア特定処理で特定したそのグループが配置されたエリアと、そのグループに属する表示装置の台数とに基づき、そのグループに属する表示装置に表示するコンテンツを決定するコンテンツ決定処理と、
前記コンテンツ決定処理で決定したコンテンツを各表示装置へ送信するコンテンツ送信処理と
をコンピュータに実行させることを特徴とする表示制御プログラム。
【発明の詳細な説明】
【技術分野】
【０００１】
この発明は、状況に応じて移動して配置される複数の表示装置に表示するコンテンツを制御する技術に関する。
【背景技術】
【０００２】
空港には、多数の表示装置が設置されている。通常、各表示装置には、フライトスケジュール、空港内の店舗の広告等のコンテンツが表示されている。
しかし、航空機の遅延や欠航等のイレギュラーが発生した場合には、一部の表示装置に表示されるコンテンツが変更され、航空機の遅延や欠航に関するコンテンツが表示される。特に、天候の影響等により、多数の航空機に遅延や欠航が発生した場合には、航空機の遅延や欠航の影響を受ける人に情報が伝わるように、多くの表示装置に航空機の遅延や欠航に関するコンテンツが表示される。
また、地震等の災害が発生した場合には、空港内の人に災害の情報が伝わるように、多くの表示装置に発生した災害に関するコンテンツや避難経路等の避難に関するコンテンツが表示される。
【先行技術文献】
【特許文献】
【０００３】
【特許文献１】特開２００２−４０９７４号公報
【発明の概要】
【発明が解決しようとする課題】
【０００４】
表示装置は、イレギュラーや災害が発生していない通常時を想定して配置されていることが多い。イレギュラーや災害を想定して表示端末を用意すると初期投資が膨大になるため、実現が難しい。
そのため、イレギュラーや災害が発生した場合には、必要な位置に必要な台数の表示装置がない場合がある。そこで、移動可能な表示装置を設置しておき、イレギュラーや災害が発生した場合に、必要な場所に表示装置を移動させることが考えられる。
しかし、各表示装置の配置により表示させるべき情報が異なるため、表示装置が移動された場合、各表示装置に表示するコンテンツを決めることが難しい。
この発明は、イレギュラーや災害が発生した場合等に、通常時用に用意された表示装置が移動して配置される表示システムにおいて、各表示装置に表示するコンテンツを適切に制御することを目的とする。
【課題を解決するための手段】
【０００５】
この発明に係る表示制御装置は、
状況に応じて所定の範囲内で移動して配置される複数の表示装置に表示するコンテンツを制御する表示制御装置であり、
各表示装置の隣接関係を特定して、特定した隣接関係に基づき、隣接して配置された表示装置を１つのグループとして前記複数の表示装置についてのグループを特定するグループ特定部と、
前記グループ特定部が特定した各グループが、前記所定の範囲を区分した複数のエリアのうちのどのエリアに配置されたかを特定するエリア特定部と、
前記各グループについて、前記エリア特定部が特定したそのグループが配置されたエリアと、そのグループに属する表示装置の台数とに基づき、そのグループに属する表示装置に表示するコンテンツを決定するコンテンツ決定部と、
前記コンテンツ決定部が決定したコンテンツを各表示装置へ送信するコンテンツ送信部と
を備えることを特徴とする。
【０００６】
前記コンテンツ決定部は、前記各グループに属する各表示装置について、グループ内における配置に応じて、その表示装置に表示するコンテンツを決定する
ことを特徴とする。
【０００７】
前記コンテンツ決定部は、さらに、前記状況に基づき、各表示装置に表示するコンテンツを決定する
ことを特徴とする。
【０００８】
前記表示制御装置は、さらに、
前記状況が変わった場合に、変わった後の状況に応じて、どの表示装置をどこへ移動させるかを決定する移動決定部と、
前記移動決定部が決定した内容を示す移動情報を、所定の管理者表示装置へ送信する移動情報送信部と
ことを特徴とする。
【０００９】
前記グループ特定部は、前記各表示装置から、その表示装置の上下と左右との少なくともいずれかに隣接する表示装置の識別情報と隣接する方向を示す情報とを取得して、前記各表示装置の隣接関係を特定する
ことを特徴とする。
【００１０】
前記エリア特定部は、前記各グループについて、そのグループに属する少なくとも１台の表示装置から、そのグループが配置されたエリアを示すエリア情報を取得して、前記各グループがどのエリアに配置されたかを特定する
ことを特徴とする。
【００１１】
前記状況は、災害の発生の有無、及び、発生した災害の種類である
ことを特徴とする。
【００１２】
前記状況は、交通機関の運行状況である
ことを特徴とする。
【００１３】
この発明に係る表示システムは、
表示制御装置と複数の表示装置とを備え、状況に応じて所定の範囲内で各表示装置が移動して配置される表示システムであり、
前記表示制御装置は、
各表示装置の隣接関係を特定して、特定した隣接関係に基づき、隣接して配置された表示装置を１つのグループとして前記複数の表示装置についてのグループを特定するグループ特定部と、
前記グループ特定部が特定した各グループが、前記所定の範囲を区分した複数のエリアのうちのどのエリアに配置されたかを特定するエリア特定部と、
前記各グループについて、前記エリア特定部が特定したそのグループが配置されたエリアと、そのグループに属する表示装置の台数とに基づき、そのグループに属する表示装置に表示するコンテンツを決定するコンテンツ決定部と、
前記コンテンツ決定部が決定したコンテンツを各表示装置へ送信するコンテンツ送信部と
を備えることを特徴とする。
【００１４】
この発明に係る表示制御プログラムは、
状況に応じて所定の範囲内で移動して配置される複数の表示装置に表示するコンテンツを制御する表示制御プログラムであり、
各表示装置の隣接関係を特定して、特定した隣接関係に基づき、隣接して配置された表示装置を１つのグループとして前記複数の表示装置についてのグループを特定するグループ特定処理と、
前記グループ特定処理で特定した各グループが、前記所定の範囲を区分した複数のエリアのうちのどのエリアに配置されたかを特定するエリア特定処理と、
前記各グループについて、前記エリア特定処理で特定したそのグループが配置されたエリアと、そのグループに属する表示装置の台数とに基づき、そのグループに属する表示装置に表示するコンテンツを決定するコンテンツ決定処理と、
前記コンテンツ決定処理で決定したコンテンツを各表示装置へ送信するコンテンツ送信処理と
をコンピュータに実行させることを特徴とする。
【発明の効果】
【００１５】
この発明に係る表示制御装置は、表示装置の隣接関係に基づき表示装置をグループ化して、各グループの位置と、各グループに属する表示装置の台数とに基づき、各表示装置に表示するコンテンツを制御する。そのため、表示装置を移動させた場合であっても、各表示装置に適切なコンテンツを表示することができる。
【図面の簡単な説明】
【００１６】
【図１】通常時における表示装置３０の配置を示す図。
【図２】通常時における乗客の移動を示す図。
【図３】多数の航空機に遅延が発生した時における乗客の移動を示す図。
【図４】実施の形態１に係る表示システム５０の構成図。
【図５】コンテンツ記憶部１５が記憶するコンテンツの一例を示す図。
【図６】隣接検出部３２が左右に隣接して配置された他の表示装置３０を検出する動作の説明図。
【図７】配置情報の一例を示す図。
【図８】実施の形態１に係る表示システム５０の動作を示すフローチャート。
【図９】実施の形態２に係る表示システム５０の構成図。
【図１０】移動情報記憶部１８が記憶する移動情報の一例を示す図。
【図１１】実施の形態２に係る表示システム５０の動作を示すフローチャート。
【図１２】エリア対応記憶部が記憶する情報を示す図。
【図１３】各エリアに配置された表示装置３０のデフォルトの配置図。
【図１４】各エリアに配置された表示装置３０の最新の配置図。
【図１５】移動情報記憶部１８が記憶する移動情報の変形例を示す図。
【図１６】上記実施の形態に係る表示制御装置１０、表示装置３０のハードウェア構成の一例を示す図。
【発明を実施するための形態】
【００１７】
実施の形態１．
ここでは、空港内に設置された複数の表示装置３０に表示するコンテンツを制御する例を説明する。なお、表示装置３０が設置されるのは、空港に限らず、電車の駅構内、ショッピングセンター、映画館、劇場、イベント会場等の他の場所であってもよい。
【００１８】
図１は、通常時における表示装置３０の配置を示す図である。
図１では、出発ロビーの入口エリアと、待合エリアと、店舗エリアとカウンタＡエリアと、カウンタＢエリアと、カウンタＣエリアと、保安検査場Ａエリアと、保安検査場Ｂエリアと、搭乗口Ａ−Ｃエリアと、搭乗口Ｄ−Ｆエリアとに表示装置３０が配置されている。
各表示装置３０には、フライトスケジュール、空港内の店舗の広告等のコンテンツが表示される。図１に示すように、通常時には、各表示装置３０は１台で独立して配置される、または複数台で隣接して配置されることが予め決められているため、各表示装置３０の配置に応じて、適切なコンテンツが表示されるようになっている。例えば、出発ロビーの入口エリアに配置された表示装置３０であれば、出発ロビーの案内図や、全航空機についてのフライトスケジュール等が表示される。また、例えば、搭乗口Ａ−Ｃエリアに配置された表示装置３０であれば、搭乗口Ａ−Ｃから出発する航空機についてのフライトスケジュールや、搭乗口Ａ−Ｃ付近にある店舗の広告等が表示される。
なお、複数の表示装置３０が隣接して配置されている場合、隣接して配置された複数の表示装置３０を１台の大型の表示装置として、コンテンツが表示される場合もある。例えば、２台の表示装置３０を１台の表示装置として、２台の表示装置３０に跨った大型の広告等が表示される場合もある。
また、隣接して配置された各表示装置３０に連動したコンテンツが表示される場合もある。例えば、１台の表示装置３０に航空機の遅延情報が表示され、その表示装置３０に隣接した表示装置３０に、遅延する航空機が出発する搭乗口付近の店舗の広告が表示される。つまり、遅延する航空機が出発する搭乗口が搭乗口Ａであれば、搭乗口Ａ付近の店舗の広告が表示され、遅延する航空機が出発する搭乗口が搭乗口Ｆであれば、搭乗口Ｆ付近の店舗の広告が表示される。
【００１９】
図２は、通常時における乗客の移動を示す図である。
図２では、通常時において、乗客が出発ロビーに到着した後の出発ロビーでの移動を示す。図２では、太い矢印が示す経路ほど多くの乗客が通ることを示す。
図２に示すように、通常時には、出発ロビーに到着した多くの乗客は、カウンタＡ，Ｂ，Ｃエリアには寄らず保安検査場Ａ，Ｂへ向う。残りの少しの乗客だけがカウンタＡ、Ｂ，Ｃに寄って手続をする。
【００２０】
図３は、多数の航空機に遅延が発生した時における乗客の移動を示す図である。
図３では、多数の航空機に遅延が発生した時において、乗客が出発ロビーに到着した後の出発ロビーでの移動を示す。図３では、図２と同様に、太い矢印が示す経路ほど多くの乗客が通ることを示す。
図３に示すように、多数の航空機に遅延が発生した時には、出発ロビーに到着した多くの乗客は、カウンタＡ，Ｂ，Ｃエリアで振替等の手続を行う。残りの少しの遅延の影響を受けない乗客だけがカウンタＡ，Ｂ，Ｃエリアには寄らず、保安検査場Ａ，Ｂへ向かう。
【００２１】
図２、図３に基づき説明したように、多数の航空機に遅延が発生した時には、通常時に比べ、カウンタＡ，Ｂ，Ｃエリアで手続をする人数が多くなる。すると、カウンタＡ，Ｂ，Ｃエリアの前には行列ができる。行列に並んでいる人は、自分が他の航空機へ振替可能なのか、いつ振替手続ができるのか等が分からず、ストレスを感じる。そのため、振替に関する情報や、遅延に関する情報等を、行列に並んでいる人に適切に提供する必要がある。
しかし、表示装置３０は、通常時を想定して配置されており、カウンタＡ，Ｂ，Ｃのすぐ近くの人からは表示装置３０が見えても、行列に並んでいる人から表示装置３０が見えない場合がある。
そこで、空港に配置される表示装置３０のうち、少なくとも一部を移動可能にしておく。そして、移動可能な表示装置３０を移動させ、行列の途中に、適切な間隔で表示装置３０を配置する。例えば、待合エリヤや店舗エリアには多くの表示装置３０は必要なく、緊急性も低いと考えられるため、通常時に待合エリヤや店舗エリアに配置されていた表示装置３０の一部を移動させ、行列の途中に配置する。
そして、行列の途中に移動させた表示装置３０には、振替手続に関するコンテンツや、遅延に関するコンテンツを表示する。特に、カウンタＡエリアの行列の途中に配置された表示装置３０には、カウンタＡエリアで手続する航空機に関連した振替に関するコンテンツや、遅延に関するコンテンツを表示する。同様に、カウンタＢ，Ｃエリアの行列の途中に配置された表示装置３０には、それぞれカウンタＢ，Ｃエリアで手続する航空機に関連した振替に関するコンテンツや、遅延に関するコンテンツを表示する。
【００２２】
しかし、表示装置３０を配置した場所によって表示すべきコンテンツが異なるだけでなく、複数の表示装置３０を隣接して配置したか、１台の表示装置３０を配置したかによっても表示すべきコンテンツが異なる。そして、空港には多数の表示装置３０があるため、表示装置３０を移動して配置しつつ、各表示装置３０に表示するコンテンツを決定する作業には、非常に手間がかかる。特に、多数の航空機に遅延が発生した時等のイレギュラー発生時や、災害が発生したような場合には、乗客の対応に手を取られるため、各表示装置３０に表示するコンテンツを決定する作業を空港のスタッフが行うのは難しい。
【００２３】
そこで、各表示装置３０に表示するコンテンツを制御する表示制御装置１０を設ける。
表示制御装置１０は、隣接して配置された表示装置３０を１つのグループとして、空港に配置された表示装置３０のグループを特定する。そして、表示制御装置１０は、各グループが配置されたエリアと、各グループに属する表示装置３０の台数とから、各グループに属する表示装置３０に表示するコンテンツを決定する。
【００２４】
図４は、実施の形態１に係る表示システム５０の構成図である。
表示システム５０は、表示制御装置１０と、複数の表示装置３０とを備える。表示制御装置１０と、複数の表示装置３０とは、ネットワーク５１を介して接続されている。
【００２５】
表示制御装置１０は、配置情報受信部１１、グループ特定部１２、エリア特定部１３、状況判定部１４、コンテンツ記憶部１５、コンテンツ取得部１６（コンテンツ決定部）、コンテンツ送信部１７を備える。
【００２６】
配置情報受信部１１は、通信装置により、各表示装置３０から配置情報を受信する。配置情報には、その表示装置３０の位置を示す位置情報（エリア情報）と、左右に隣接して配置された表示装置３０を示す隣接情報とが含まれる。
【００２７】
グループ特定部１２は、処理装置により、配置情報受信部１１が受信した配置情報に基づき、隣接して配置された表示装置３０を１つのグループとして、表示装置３０のグループを特定する。
【００２８】
エリア特定部１３は、処理装置により、各グループについて、そのグループに含まれるいずれかの表示装置３０の位置に基づき、どのエリアに配置されているかを特定する。
【００２９】
状況判定部１４は、処理装置により、空港の状況を判定する。
状況判定部１４は、航空機に遅延、欠航が発生しているか、遅延、欠航が発生している航空機は何台か、遅延、欠航が発生している航空機の手続を行うカウンタはどこか、地震等の災害は発生しているか等、空港の状況が予め定められたどの状況に該当するかを判定する。
状況判定部１４は、空港のスタッフからの入力や、フライトスケジュールを管理するシステム等の他のシステムからの入力を受け、空港の状況を判定する。また、例えば、状況判定部１４は、カメラや煙センサ等の各種機器からの入力を受け、空港の状況を判定する。
【００３０】
コンテンツ記憶部１５は、状況、エリア、隣接して配置された表示装置３０の台数毎に、コンテンツを記憶する記憶装置である。
図５は、コンテンツ記憶部１５が記憶するコンテンツの一例を示す図である。
状況は、大分類、中分類、小分類に分けられている。例えば、大分類には、航空機の遅延、航空機の欠航、災害等が記憶されている。中分類には、大分類が航空機の遅延であれば、１機〜５機、６機から２０機、２０機以上が記憶されている。小分類には、中分類が１機〜５機であれば、手続をするカウンタがどこであるかが記憶されている。
エリアは、空港内を区分したエリアを示す。図１の例であれば、出発ロビーの入口エリアと、待合エリアと、店舗エリアと、カウンタＡエリアと、カウンタＢエリアと、カウンタＣエリアと、保安検査場Ａエリアと、保安検査場Ｂエリアと、搭乗口Ａ−Ｃエリアと、搭乗口Ｄ−Ｆエリアとのエリアがある。
台数は、グループに属する表示装置３０の台数を示す。ここでは、各グループには、１台から３台までの表示装置３０が属することを想定している。もちろん、４台以上の表示装置３０が属するグループがあっても構わない。
コンテンツは、各表示装置３０に表示する内容であり、例えば、画像情報や映像情報である。なお、グループに属する表示装置３０の台数が複数である場合には、そのグループにおける表示装置３０の配置毎にコンテンツは記憶されている。例えば、２台の表示装置３０が属するグループについては、左に配置された表示装置３０のコンテンツとして、航空機の遅延情報が記憶され、右に配置された表示装置３０のコンテンツとして、遅延する航空機が出発する搭乗口付近の店舗の広告が記憶されている。
またコンテンツの内容としては、大分類「災害」、中分類「地震」の中でも発生後沈静前、発生後沈静後、沈静後交通機関運転再開前、沈静後交通機関運転再開後と更に分類を分けてもよい。この場合、例えばコンテンツとしては、発生後沈静前は避難誘導の案内、発生後沈静後は毛布配布の案内、沈静後交通機関運転再開前は食事や宿泊の案内、沈静後交通機関運転再開後は交通の案内等が考えられる。
【００３１】
コンテンツ取得部１６は、処理装置により、コンテンツ記憶部１５が記憶するコンテンツから、各グループに属する各表示装置３０に表示するコンテンツを取得する。つまり、コンテンツ取得部１６は、各グループについて、状況判定部１４が判定した状況と、エリア特定部１３が特定したそのグループが配置されたエリアと、そのグループに属する表示装置３０の台数とに対応するコンテンツを、そのグループに属する各表示装置３０に表示するコンテンツとして決定する。
コンテンツ取得部１６は、特に、複数の表示装置３０が属するグループについては、グループ内における表示装置３０の配置に基づき、各表示装置３０に表示するコンテンツを取得する。
【００３２】
コンテンツ送信部１７は、コンテンツ取得部１６が取得したコンテンツを、対応する表示装置３０へ送信する。
【００３３】
表示装置３０は、位置検出部３１、隣接検出部３２、配置情報送信部３３、コンテンツ受信部３４、表示部３５を備える。
【００３４】
位置検出部３１は、自身の位置を検出する。
例えば、位置検出部３１は、空港内に複数設置された位置検出装置と通信して、三角測量等により自身の位置を検出する。位置検出部３１は、位置検出装置により検出された位置を示す位置情報を、位置検出装置から取得してもよい。あるいは、各位置検出装置がエリアを示すエリアＩＤを記憶しておき、位置検出部３１が近傍の位置検出装置からエリアＩＤを取得し、エリアＩＤが示すエリアを自身の位置としてもよい。
【００３５】
隣接検出部３２は、左右に隣接して配置された他の表示装置３０を検出する。
図６は、隣接検出部３２が左右に隣接して配置された他の表示装置３０を検出する動作の説明図である。
各表示装置３０は、左右に自身の識別情報を記憶したタグ３２１を備える。また、各表示装置３０は、左右にタグから識別情報を読み出す読取装置３２２を備える。
隣接検出部３２は、左に備える読取装置３２２により、左に隣接する他の表示装置３０の右に設けられたタグ３２１から識別情報を読み取る。識別情報を読み取れた場合、読み取った識別情報が示す表示装置３０が、自身の左側に隣接して配置されていることが分かる。同様に、右に隣接する他の表示装置３０の左に設けられたタグ３２１から識別情報を読み取る。識別情報を読み取れた場合、読み取った識別情報が示す表示装置３０が、自身の右側に隣接して配置されていることが分かる。
読取装置３２２の電波の出力強度を調整することにより、何センチ離れていても隣接していると判定するかを制御することができる。
【００３６】
配置情報送信部３３は、通信装置により、位置検出部３１が検出した位置と、隣接検出部３２が検出した左右に隣接して配置された他の表示装置３０とを示す配置情報を表示制御装置１０へ送信する。
図７は、配置情報の一例を示す図である。
配置情報には、送信元の表示装置３０のＩＤと、送信元の表示装置３０の位置と、右側に隣接した他の表示装置３０のＩＤと、左側に隣接した他の表示装置３０のＩＤとが含まれる。右側（左側）に隣接した他の表示装置３０がない場合には、右側（左側）に隣接した他の表示装置３０のＩＤは、空欄又は隣接した他の表示装置３０がないことを示す所定の情報になる。
【００３７】
コンテンツ受信部３４は、通信装置により、表示制御装置１０が送信したコンテンツを受信する。
【００３８】
表示部３５は、コンテンツ受信部３４が受信したコンテンツを表示する。
【００３９】
図８は、実施の形態１に係る表示システム５０の動作を示すフローチャートである。
何らかの事情により、空港のスタッフが表示装置３０を移動させたものとする。
まず、各表示装置３０では、位置検出部３１が、自身の位置を検出する（Ｓ１０１）。また、隣接検出部３２が、左右に隣接して配置された他の表示装置３０を検出する（Ｓ１０２）。そして、配置情報送信部３３が、Ｓ１０１、Ｓ１０２で検出した位置と、左右に隣接して配置された他の表示装置３０とを示す配置情報を表示制御装置１０へ送信する（Ｓ１０３）。
【００４０】
次に、表示制御装置１０では、配置情報受信部１１が、Ｓ１０３で送信された配置情報を受信する（Ｓ１０４）。すると、グループ特定部１２が、Ｓ１０４で受信した配置情報に基づき、表示装置３０のグループを特定する（Ｓ１０５）。次に、エリア特定部１３が、Ｓ１０５で特定した各グループが配置されたエリアを特定する（Ｓ１０６）。また、状況判定部１４が、空港の状況を判定する（Ｓ１０７）。すると、コンテンツ取得部１６が、各グループについて、Ｓ１０７で特定した状況と、Ｓ１０６で特定したそのグループが配置されたエリアと、そのグループに属する表示装置３０の台数とに基づき、そのグループに属する各表示装置３０に表示するコンテンツをコンテンツ記憶部１５から取得する（Ｓ１０８）。この際、各表示装置３０に表示するコンテンツは、配置情報が示す隣接関係により特定される、グループ内における表示装置３０の配置（例えば、左、中央、右）に合致したものが特定される。
そして、コンテンツ送信部１７は、Ｓ１０８で取得したコンテンツを、対応する表示装置３０へ送信する（Ｓ１０９）。
【００４１】
次に、各表示装置３０では、コンテンツ受信部３４が、Ｓ１０９で送信されたコンテンツを受信する（Ｓ１１０）。そして、表示部３５が、Ｓ１１０で受信したコンテンツを表示する（Ｓ１１１）。
【００４２】
なお、Ｓ１０５の処理でグループ特定部１２は、表示装置３０から受信した配置情報に左右の隣接情報がない場合は、該当の表示装置３０は単独で設置されていると判定し、１台でのグループであると判定する。
また、Ｓ１０５からＳ１０９の処理は、Ｓ１０４で全てのグループが特定された後に実行されるように構成してもよいし、Ｓ１０４で属する表示装置３０が特定されたグループから順に実行されるように構成してもよい。
【００４３】
Ｓ１０７の処理で、状況判定部１４は一定規模以上の災害が発生したと判定したときは、Ｓ１０８の処理で、コンテンツ取得部１６はコンテンツ記憶部１５からコンテンツを取得せずに、予め定めたコンテンツを所定の表示方法で表示することを決定するように構成してもよい。例えば、コンテンツを、ＮＨＫ（登録商標）ニュース、地方番組ニュース、インターネットで取得できる災害・最新情報、避難経路の４種類とし、１台で設置されているグループにはＮＨＫ（登録商標）ニュース、２台で設置されているグループにはＮＨＫ（登録商標）ニュースと地方番組ニュース、３台で設置されているグループにはＮＨＫ（登録商標）ニュースと地方番組ニュースと避難経路を表示するとするルールに従い、コンテンツ取得部１６はコンテンツを決定する。
また、エリア毎に、コンテンツ毎の最少台数を定めておき、その台数に応じて表示するコンテンツを決定してもよい。例えば、カウンタＡエリアにはＮＨＫ（登録商標）ニュースを表示する最少台数を２台、インターネットで取得できる災害・最新情報を表示する最少台数を１台、避難経路を表示する最少台数を３台とルールを設定しておき、コンテンツ取得部１６はこの最小台数を下回らないように、各表示装置３０に表示するコンテンツを決定する。
このように、一定規模以上の災害発生時の表示ルールを定めておけば、各表示装置３０で即座に必要な状況を表示することができる。
【００４４】
以上のように、実施の形態１に係る表示システム５０では、通常時用に配置された表示装置３０をイレギュラー時や災害時に有効活用することができる。
また、表示制御装置１０が各グループが配置されたエリアと、各グループに属する表示装置３０の台数とから、各グループに属する表示装置３０に表示するコンテンツを決定する。したがって、コンテンツの決定に関して、空港のスタッフに手間がかからない。
【００４５】
また、実施の形態１に係る表示システム５０では、さらに、空港の状況も考慮して、表示装置３０に表示するコンテンツを決定する。したがって、適切なコンテンツを表示装置３０に表示することができる。
【００４６】
なお、上記説明では、タグ３２１と読取装置３２２とを用いて、表示装置３０の隣接関係を特定した。しかし、これに限らず、例えば、表示装置３０には、左右に接続口を有しており、隣接して配置される表示装置３０同士は、接続線により接続口が接続されるとしてもよい。そして、各表示装置３０は、接続線により接続された表示装置３０の識別情報と、どちら側の接続口に接続されているかを特定するとしてもよい。
【００４７】
また、上記説明では、表示装置３０が隣接する場合、左右に隣接することを想定した。しかし、左右だけでなく、上下に隣接していることを検出してもよい。この場合、上下にもタグ３２１や読取装置３２２を備える必要がある。
【００４８】
実施の形態２．
実施の形態１では、空港のスタッフが表示装置３０を移動させた場合に、新たな配置の表示装置３０に表示するコンテンツを決定することについて説明した。実施の形態２では、空港の状況が変わった場合に、表示制御装置１０が表示装置３０をどのように配置すべきかを決定することについて説明する。
【００４９】
図９は、実施の形態２に係る表示システム５０の構成図である。
実施の形態２に係る表示システム５０は、管理者表示装置４０を備える点と、表示制御装置１０が、さらに、移動情報記憶部１８、移動情報取得部１９（移動決定部）、移動情報送信部２０を備える点とが、実施の形態１に係る表示システム５０と異なる。
【００５０】
移動情報記憶部１８は、状況毎に移動情報を記憶する記憶装置である。
図１０は、移動情報記憶部１８が記憶する移動情報の一例を示す図である。
状況は、図５と同様に、大分類、中分類、小分類に分けられている。
移動情報は、どの表示装置３０をどこへ移動させるか、何台の表示装置３０を隣接させるかが記憶されている。
【００５１】
移動情報取得部１９は、処理装置により、移動情報記憶部１８が記憶する移動情報から、状況判定部１４が判定した状況に対応する移動情報を取得する。
【００５２】
移動情報送信部２０は、通信装置により、移動情報取得部１９が取得した移動情報を、管理者表示装置４０へ送信する。
【００５３】
管理者表示装置４０は、ネットワーク５１を介して表示制御装置１０、表示装置３０と接続され、空港のスタッフ用に表示装置３０の配置図を表示する。管理者表示装置４０は、配置指示受信部４１と、表示部４２を備える。
配置指示受信部４１は、通信装置により、移動情報送信部２０が送信した移動情報を受信する。
表示部４２は、配置指示受信部４１が受信した移動情報を表示する。
【００５４】
図１１は、実施の形態２に係る表示システム５０の動作を示すフローチャートである。
まず、表示制御装置１０では、状況判定部１４が、空港の状況を判定する（Ｓ２０１）。次に、移動情報取得部１９が、Ｓ２０１で判定した空港の状況に対応する移動情報を移動情報記憶部１８から取得する（Ｓ２０２）。そして、移動情報送信部２０が、Ｓ２０２で取得した移動情報を管理者表示装置４０へ送信する（Ｓ２０３）。
次に、管理者表示装置４０では、配置指示受信部４１が、Ｓ２０３で送信された移動情報を受信する（Ｓ２０４）。そして、表示部４２が、Ｓ２０４で受信した移動情報を表示する（Ｓ２０５）。これにより、移動情報を見た空港のスタッフが、移動情報に従い表示装置３０を移動させる。
【００５５】
Ｓ２０６からＳ２１１までの処理は、Ｓ１０１からＳ１０６までの処理と同じであり、Ｓ２１２からＳ２１５までの処理は、Ｓ１０８からＳ１１１までの処理と同じである。
【００５６】
以上のように、実施の形態２に係る表示システム５０では、状況に応じて移動情報を空港のスタッフへ提示するため、空港のスタッフが適切な位置に表示装置３０を移動させることができる。
【００５７】
なお、上記説明では、移動情報に従い表示装置３０を移動させるとした。しかし、場合によっては、空港のスタッフは、移動情報に従わず、各自の判断により表示装置３０を移動させても構わない。つまり、移動情報は、あくまで参考程度の情報としても構わない。
この場合であっても、表示制御装置１０は、Ｓ２０９で表示装置３０の実際の配置を示す配置情報を受信し、受信した配置情報に基づきコンテンツを決定するため、適切なコンテンツを各表示装置３０に表示することができる。
【００５８】
また、上記説明では、空港のスタッフが表示装置３０を移動させるとした。しかし、表示装置３０に移動機能を設けておき、表示制御装置１０や空港のスタッフから指示を受けると、表示装置３０が自動的に指示を受けた場所へ移動するとしてもよい。
【００５９】
また、上記説明では、移動情報送信部２０は、管理者表示装置４０へ移動情報を送信するとした。管理者表示装置４０は、固定で設置された表示装置に限定されず、空港のスタッフが使用するＰＣ（Ｐｅｒｓｏｎａｌ  Ｃｏｍｐｕｔｅｒ）や、モバイル端末等でもよい。また、移動情報送信部２０は、所定の表示装置３０へ移動情報を送信してもよい。
【００６０】
また、移動情報送信部２０は、移動情報とともに、あるいは、移動情報とは別に、その時点における各表示装置３０の配置を示す配置図等を、管理者表示装置４０や所定の表示装置３０へ送信して、配置図を表示させてもよい。
【００６１】
また、図１０では、移動情報として、どのエリアに配置された何台の表示装置３０を、どのエリアへ移動させるということを示していた。
しかし、移動情報は、より詳しく、どのエリアに配置された、どのような隣接関係の表示装置３０のうち、何台の表示装置３０を、どのエリアのどの位置へ移動させるということを示してもよい。例えば、店舗エリアに配置された、３台が隣接した表示装置３０のうち、１台の表示装置３０を、カウンタＡエリアの行列の途中に移動させるということを示すとしてもよい。
また、移動情報は、どの表示装置３０を移動させるべきか、具体的に表示装置３０の識別情報を用いて示してもよい。例えば、ＩＤ０１０の表示装置３０をカウンタＡエリアへ移動させるということを示してもよい。
【００６２】
また、上記説明では、コンテンツ取得部１６が、状況とグループの位置とグループに属する台数とに基づきコンテンツを取得して、取得したコンテンツを各表示装置３０が表示するとした。
しかし、一部の表示装置３０には、空港のスタッフが指定したコンテンツを表示するとしてもよい。例えば、空港のスタッフは、管理者表示装置４０から、表示装置３０の識別情報と、コンテンツの識別情報とを表示制御装置１０へ電子メール等により送信する。すると、コンテンツ取得部１６が、指定された表示装置３０に対しては、指定されたコンテンツを取得し、コンテンツ送信部１７が、取得したコンテンツをその表示装置３０へ送信して、取得したコンテンツを表示させる。
【００６３】
空港のスタッフが指定したコンテンツを表示する場合に、Ｓ２１１の処理でエリア特定部１３が表示装置３０が位置するエリアを特定したとき、表示装置３０とエリアとの対応を示すエリア対応情報を記憶装置（エリア対応記憶部）に記憶し、移動情報送信部２０が管理者表示装置４０に対してエリア対応情報を送信するようにしてもよい。これにより、図１２に示すように、エリア対応記憶部には、日時毎の各エリアに配置されている表示装置３０のＩＤが記憶される。なお、エリア対応記憶部が記憶した情報においては、デフォルトでは、表示装置３０を配置しない場所も、エリアとして定義されている。
また、エリア対応記憶部には、エリア優先度が設定されている。エリア優先度は、一例として１〜５の数値で設定し、数値が大きいほど優先度が高いものとする。エリアとエリア優先度との対応は、予め決めておく情報であり、都度変更されるものではないため、エリア対応記憶部以外の別の記憶装置に記憶してもよい。
移動情報送信部２０から受信したエリア対応情報に基づき、表示部４２が図１３、図１４のように各エリアに配置された表示装置３０の配置図を、地図の上に端末ＩＤを付して表示するように構成すると、空港のスタッフはどの表示装置３０に何を表示すべきかの意思決定がしやすい。図１３は、朝９時時点でのデフォルトの配置図の例示であり、図１４は午後３時時点での最新の配置図の例示である。このように、デフォルト及び最新の配置図を切り替えて表示するように構成することで、表示装置３０の移動経過をも考慮した表示情報を決定することができる。
また、前述したように、図１３、図１４に表示した表示装置３０の配置図は、コンテンツの指定とは関係なく、表示部４２が空港のスタッフから指定された日時の「配置図表示」機能として、表示してもよい。
【００６４】
また、エリア対応記憶部が有するエリアとエリア優先度との対応付け情報により、Ｓ２０２の処理で移動情報取得部１９が移動情報を決定するとき、エリア優先度を考慮して移動情報を決定することができる。つまり、移動情報記憶部１８の「移動情報」には、「優先度１のエリアから１台の表示装置３０をカウンタＡエリアへ移動」や「優先度１のエリアから３台、優先度２のエリアから２台の表示装置３０をカウンタエリアＣへ移動」等と設定しておき、移動情報取得部１９がエリア対応記憶部２１の情報を参照して、優先度が合致するエリアを具体的に特定してもよい。また、優先度が同じエリアが複数ある場合は、エリア対応記憶部２１を参照して、表示装置３０の台数が多いエリアと特定してもよい。
【００６５】
図１５は、移動情報記憶部１８が記憶する移動情報の変形例を示す図である。例えば、人の混雑度を状況とする場合、その原因が災害発生なのか、イベント実施なのかで表示装置３０の配置を替える必要があるため、図１５に示す移動情報記憶部１８では、原因と状況に基づき、移動情報を定めている。Ｓ２０１の処理で状況判定部１４が原因を含めて状況を判定し、Ｓ２０２の処理で移動情報取得部１９が移動情報記憶部１８から原因を含めて移動情報を取得するように構成すれば、１つの状況に対する原因も考慮して、移動情報を決定することができる。なお、混雑度は、各表示装置３０に設置された人感センサー等から取得することができ、例えば、５０平方センチメートルに１人が検知されたら、混雑度１００％等と定義すればよい。
図１５は、沈静後交通機関運転再開前を想定した移動情報の一例である。地震は治まったが、しかし、航空機は運航していない、公共交通が復旧していない状況で空港から移動することができない人が待合エリアや搭乗口で待機しているとき、どのように表示装置３０を移動させるかを定めている。
このように人の混雑度を状況とすると、災害時、イレギュラー時、イベント開催時等に、通常時には情報が必要ない場所であっても、人の混雑度に応じて表示装置３０を移動させて、必要な情報を提供可能とする。
【００６６】
また図１３、図１４に示す表示装置３０の配置図を表示するとき、混雑度を網掛けの濃度で表示するようにすると、空港のスタッフは表示装置３０の配置とともにエリアの混雑度も確認することができる。
【００６７】
また、上記説明では、少なくとも一部の表示装置３０を移動可能とするとした。例えば、各表示装置３０について、移動不可、移動可、状況によっては移動可等の区分を定義できるようにしてもよい。さらに、状況によっては移動可と定義された表示装置３０については、どの状況の場合には移動可であるかを定義できるようにしてもよい。
【００６８】
また、空港のスタッフのＩＤカード等を、その表示装置３０に読み取らせなければ、表示装置３０を移動できないようにしてもよい。これにより、表示装置３０の盗難を防止できる。
また、各表示装置３０について、誰がどこへ移動させたかを示す移動の履歴を記憶してもよい。
【００６９】
また、表示装置３０には、蓄電池や発電機を搭載しておいてもよい。これにより、電源の有無に関わらず、必要な場所に表示装置３０を配置することができる。
また、表示装置３０に携帯電話等の携帯端末を接続することにより、携帯端末を充電可能としてもよい。災害時など、混雑した場所を検知して、携帯電話を充電可能な表示装置３０を配置する、または混雑した場所を検知して携帯電話を充電可能な表示装置３０が自動的に移動するようにすれば、利用者の利便性も向上する。
またさらに、表示装置３０が蓄電池の電力残量が少なくなったことを検知し、充電可能な場所に自動的に移動するように構成してもよい。また、表示制御装置１０が各表示装置３０の電力残量を監視し、充電不可の場所に電力残量が少ない表示装置３０があることを検知したら、充電可能な場所にある残量が多い表示装置３０との入れ替え指示を、管理者表示装置４０に送信するように構成してもよい。
【００７０】
図１６は、上記実施の形態に係る表示制御装置１０、表示装置３０のハードウェア構成の一例を示す図である。
図１６に示すように、表示制御装置１０、表示装置３０は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９０１（Ｌｉｑｕｉｄ  Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。磁気ディスク装置９２０（固定ディスク装置）の代わりに、光ディスク装置、メモリカード読み書き装置などの記憶装置でもよい。磁気ディスク装置９２０は、所定の固定ディスクインタフェースを介して接続される。
【００７１】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００７２】
プログラム群９２３には、上記の説明において「配置情報受信部１１」、「グループ特定部１２」、「エリア特定部１３」、「状況判定部１４」、「コンテンツ取得部１６」、「コンテンツ送信部１７」、「移動情報取得部１９」、「移動情報送信部２０」、「位置検出部３１」、「隣接検出部３２」、「配置情報送信部３３」、「コンテンツ受信部３４」、「表示部３５」、「配置指示受信部４１」、「表示部４２」等として説明した機能を実行するソフトウェアやプログラムやその他のプログラムが記憶されている。プログラムは、ＣＰＵ９１１により読み出され実行される。
ファイル群９２４には、上記の説明において「コンテンツ記憶部１５」、「移動情報記憶部１８」に格納される情報やデータや信号値や変数値やパラメータが、「データベース」の各項目として記憶される。「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
【００７３】
また、上記の説明におけるフローチャートの矢印の部分は主としてデータや信号の入出力を示し、データや信号値は、ＲＡＭ９１４のメモリ、その他光ディスク等の記録媒体やＩＣチップに記録される。また、データや信号は、バス９１２や信号線やケーブルその他の伝送媒体や電波によりオンライン伝送される。
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組合せ、さらには、ファームウェアとの組合せで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【符号の説明】
【００７４】
１０  表示制御装置、１１  配置情報受信部、１２  グループ特定部、１３  エリア特定部、１４  状況判定部、１５  コンテンツ記憶部、１６  コンテンツ取得部、１７  コンテンツ送信部、１８  移動情報記憶部、１９  移動情報取得部、２０  移動情報送信部、３０  表示装置、３１  位置検出部、３２  隣接検出部、３２１  タグ、３２２  読取装置、３３  配置情報送信部、３４  コンテンツ受信部、３５  表示部、４０  管理者表示装置、４１  配置指示受信部、４２  表示部、５０  表示システム、５１  ネットワーク。
【図１】
0005613750.tif 000002
【図２】
0005613750.tif 000003
【図３】
0005613750.tif 000004
【図４】
0005613750.tif 000005
【図５】
0005613750.tif 000006
【図６】
0005613750.tif 000007
【図７】
0005613750.tif 000008
【図８】
0005613750.tif 000009
【図９】
0005613750.tif 000010
【図１０】
0005613750.tif 000011
【図１１】
0005613750.tif 000012
【図１２】
0005613750.tif 000013
【図１３】
0005613750.tif 000014
【図１４】
0005613750.tif 000015
【図１５】
0005613750.tif 000016
【図１６】
0005613750.tif 000017